(57)【要約】      （修正有）【課題】形態及び機構が簡単で部品点数のより少ない外科用ラチェット組立体を提供する。【解決手段】ハンドル、ハンドル・キャップ、駆動体、ラチェット機構２４及び固定機構を含んでなる外科用ラチェット組立体である。駆動体はハンドルに対して回転可能となるよう、ハンドル・キャップ内に収納される。ラチェット機構は、ハンドルと駆動体の間に配置される。固定機構の固定を解除することによって、清浄及び部品の殺菌を行うために組立体を素早く分解することが可能となる。付勢部品には超弾性物質が用いられる。キャップ形状の動力切換機２６によって、回転が凹部を超えることが防がれる。【選択図】図２ａ
2006312061.tif 000002
【特許請求の範囲】
【請求項１】
（ａ）ラチェット機構のハウジングと、
（ｂ）上記ハウジング内に枢動可能に配置された少なくとも１つの爪部品と、
（ｃ）上記爪部品を対応する歯部と噛み合うように付勢するために、上記少なくとも１つの爪部品と係合する少なくとも１つの片持ちバネ
とから構成されるラチェット機構を有し、上記片持ちバネは上記ハウジング側から孔部に通されることを特徴とするラチェット・ハンドル。
【請求項２】
上記片持ちバネは、上記ハウジング側からネジ等の締結具を介して固定されることを特徴とする請求項１に記載のラチェット・ハンドル。
【請求項３】
上記片持ちバネは、上記ハウジング側からピン等の打込具を介して固定されることを特徴とする請求項１に記載のラチェット・ハンドル。
【請求項４】
上記片持ちバネは、細長く概ね真っ直ぐであることを特徴とする請求項１に記載のラチェット・ハンドル。
【請求項５】
上記片持ちバネは超弾性物質から形成されることを特徴とする請求項１に記載のラチェット・ハンドル。
【請求項６】
上記片持ちバネは超弾性物質から形成されることを特徴とする請求項２に記載のラチェット・ハンドル。
【請求項７】
上記片持ちバネは超弾性物質から形成されることを特徴とする請求項３に記載のラチェット・ハンドル。
【請求項８】
上記片持ちバネは超弾性物質から形成されることを特徴とする請求項４に記載のラチェット・ハンドル。
【請求項９】
上記片持ちバネはニチノールから形成されることを特徴とする請求項５に記載のラチェット・ハンドル。
【請求項１０】
上記ハウジングに対して、さらに動力切換機を備えてなることを特徴とする請求項１に記載のラチェット・ハンドル。
【請求項１１】
上記動力切換機は、ラチェット・ハンドルがトルクを伝達するかフリー回転を行うかいずれかを選択可能にするために、上記少なくとも１つの爪部品を歯付きハブの歯部に係合・解除可能に選択的に移動するよう適合されることを特徴とする請求項１０に記載のラチェット・ハンドル。
【請求項１２】
上記動力切換機は、ラチェット・ハンドルがトルクを伝達するかフリーホイール状回転を行うかいずれかを選択可能にするために、上記少なくとも１つの爪部品を上記歯部に係合・解除可能に選択的に移動するよう適合されることを特徴とする請求項１０に記載のラチェット・ハンドル。
【請求項１３】
上記ラチェット・ハンドルは、少なくとも２つの対向する爪部品を含んでなり、上記動力切換機の作用によって上記爪部品のうち１つは上記歯部に係合した状態に保たれつつ、もう一方は歯部から係合を解くよう移動され、これによって歯止め及びトルクの方向を逆転可能とすることを特徴とする請求項１２に記載のラチェット・ハンドル。
【請求項１４】
上記ハウジングには、１８０度よりも大きい角度に外接し、その端部が概ね弓状に形成された少なくとも１つの溝部が形成されてなることを特徴とする請求項１０に記載のラチェット・ハンドル。
【請求項１５】
上記少なくとも１つの爪部品は、上記少なくとも１つの溝部に配置され、上記溝部の弓状に形成された端部の中に回転自在に係合する概ね円形のつまみを一方の端部に含んでなることを特徴とする請求項１４に記載のラチェット・ハンドル。
【請求項１６】
上記動力切換機は、上記ハウジングの少なくとも１つの溝部と整列するよう少なくとも部分的に上部に配置される、上記少なくとも１つの爪部品と選択的に係合可能な少なくとも１つの穴部を含んでなり、さらに上記動力切換機の回転動作を２つの位置に制限するために、上記ハウジングに取り付けられたストップ・ピンが上記動力切換機における溝部と係合することを特徴とする請求項１５に記載のラチェット・ハンドル。
【請求項１７】
（ａ）ハウジングと、
（ｂ）上記ハウジング内に枢動可能に配置される少なくとも１つの爪部品と、
（ｃ）上記爪部品を対応する歯部と噛み合うように付勢するために、上記少なくとも１つの爪部品と係合する少なくとも１つの片持ちバネ
とから構成されるラチェット機構を有するラチェット・ハンドルであり、
上記ハウジングは１８０度以上の角度に外接する概ね弓状に形成された端部をそれぞれ含んでなる１組の溝部を備え、該１組の溝部内には上記溝部の弓状に形成された端部内に回転自在に係合する概ね円形のつまみがそれぞれの一方の端部に形成されてなる１組の爪部品が配置され、
上記ラチェット・ハンドルは上記ハウジングに対して回転するよう構造体内に配置された動力切換機を備えてなり、上記動力切換機はラチェット・ハンドルがトルクを伝達するかフリーホイール状回転を行うかいずれかを選択するために、上記少なくとも１つの爪部品を歯付きハブの歯部と係合・解除可能に選択的に移動するよう適合され、
上記動力切換機は、上記ハウジングの少なくとも１つの溝部と整列するよう少なくとも部分的に上側に配置され、上記少なくとも１つの歯止め部と選択的に係合可能な少なくとも１つの穴部を含んでなり、さらに上記動力切換機の回転動作を２つの位置に限定するために、上記ハウジングに取り付けられたストップ・ピンが上記動力切換機における溝部と係合することを特徴とするラチェット・ハンドル。
【請求項１８】
上記ハウジングと、該ハウジング内に枢動可能に配置された少なくとも１つの歯止め部と、超弾性物質から形成され、上記少なくとも１つの爪部品を対応する歯部に噛み合うよう付勢するために、上記少なくとも１つの爪部品と係合する少なくとも１つの片持ちバネとから構成されるラチェット機構を有する外科用ラチェット、該ラチェットと共に使用する複数の器具、様々な外科用ファスナー及び不使用時に上記ラチェットや器具を便利に収納できる収納部が形成されたケースを含んでなることを特徴とする外科用のキット。
【発明の詳細な説明】
【技術分野】
【０００１】
（関連出願の相互参照）
本出願は、２００５年５月５日に出願された同名称の米国暫定特許出願第６０／６７８，２４５号を優先権主張し、その内容は参照することにより本出願に組み込まれる。
【０００２】
本発明は、回転式の外科用切削器具に関し、とりわけリーマ駆動体を含む顎顔面科、神経科、歯科及び整形外科の手術で用いられる駆動体に関する。
【０００３】
ネジ駆動体やその他の手持ち器具は、様々な物品に取り付けられたファスナーを挿入、除去及び／または調整するためにしばしば用いられる。様々な物品に対しファスナーを適切に配置するように、器具はファスナーを回転して物品における穴部に挿入または取り出すために用いられる。一方の方向に回せば比較的自由に回転を行い、反対の方向に回すと回転がロックされるように回転は制御される。
【背景技術】
【０００４】
参照することにより本願に組み込まれる米国特許登録第５，６１３，５８５号、第５，６１９，８９１号、第５，７７８，７４３号、第５，８７３，２８８号及び第５，９４３，７５５号において開示されている発明のように、この類のラチェット機構は様々な形態をとる。これらそれぞれの機構には、器具のハウジング内に１組の爪部品が配置される。ファスナーを調整、挿入または取り除く際に歯付きギアをある特定の方向にだけ回転するように、爪部品は器具のハウジング内に配置された歯付きギアに選択的に係合及び解除される。しかし、この類のラチェット機構を備える器具は、様々な物品におけるファスナーを調整、挿入及び除去するうえでは便利だが、これらの機構にはいくつかの欠点もある。その一例としては、ギアに付された歯間の間隔が大きいために、ラチェット機構を次の固定位置まで進めるのにラチェット器具は約１０度以上も回転されなければならない。これだけの大きさのギアを有する上記で参照した類の機構を備えた器具は、非常に粗く、ファスナーを正確に動かすことが不可能なため、ファスナーが正確に動かされる必要がある場合には不適切である。
【０００５】
さらに、従来のラチェット機構は、一般的にハウジング内で多数の部品が組み立てられて構成され、この複雑さゆえにこれらの従来のラチェット機構を備えた器具の製造に要する時間は長くなり、費用は増加した。
【発明の開示】
【発明が解決しようとする課題】
【０００６】
よって、より少ない部品からより簡単な形態で構成される、より簡単な機構が必要とされる。
【０００７】
外科用ラチェット組立体は、ハンドル、ハンドル・キャップ、駆動体、ラチェット機構及び固定機構から構成される。駆動体はハンドルに対して回転可能となるよう、ハンドル・キャップ内に収納される。ラチェット機構は、ハンドルと駆動体の間に配置される。ラチェット機構は、動力切換機を介して歯付きハブから選択的に取外し可能な爪部品を含んでなる。この爪部品は１組備わっていることが好ましい。ハンドルは、固定機構によってラチェット機構に取外し可能に保持される。爪部品は、片持ちバネに付勢されることによって歯付きハブに係合される。
【０００８】
本発明の具体案において、片持ちバネは超弾性物質から形成され、これによって爪部品は耐久性と信頼性のある動作を行うことができ、ラチェットの使用寿命が長くなる。
【０００９】
さらなる具体案において、片持ちバネのその片持ちとした形態と、製造にニッケルチタンが用いられることで、概ね一定の付勢力で爪部品を歯付きハブに係合するよう付勢することを可能にする。
【００１０】
さらなる具体案において、片持ちバネが細長く形成されることで、その強度及び信頼性を損なうことなくラチェット機構の体積を減らすことを可能にする。
【００１１】
さらなる具体案において、片持ちバネがハウジング側から組立体に挿入されることで、ハウジング組立体を分解することなく片持ちバネの整備及び／または交換を可能にする（例えば、片持ちバネを操作するうえに、動力切換機を取外す必要はなくなる）。
【００１２】
さらなる具体案において、動力切換機は両方の爪部品が係合状態になる位置を含むことで、どちらの方向にも自由に移動できないようにラチェット機構を固定することを可能にする。
【００１３】
本発明の目的は、操作が簡単で且つ信頼性のあるラチェット・ハンドルを提供することである。
【００１４】
本発明のもう１つの目的は、付勢部品となる片持ちバネが取付ピンを必要としないような、より少ない構成部品からなるより簡単な機構を提供することである。
【発明を実施するための最良の形態】
【００１５】
本発明は、ゴーチエ（Ｇａｕｔｈｉｅｒ）による米国特許第６，８１７，４５８号と、ＷＯ２００４／０９６０６９及びＰＣＴ／ＩＢ２００４／００１２４４と構造的な共通点を有し、その内容の全ては参照することで本願に組み込まれている。  
【００１６】
図１を参照すると、ハンドル１２と、ハンドル・キャップ１２ａと、継手端部１４と、歯付きハブを有する駆動軸２０が配置されたハウジング組立体１６とを本質的に備える本発明によるラチェット・ハンドル１０が示されている。
【００１７】
次に図２ａ及び２ｂを参照すると、ラチェット機構２４は、動力切換機２６の位置によって望ましい方向にファスナー（図示なし）に選択的にトルクを伝達することを可能にするために、歯付きハブ２２とハンドル１２の間に配置される。動力切換機２６は、キャップ状の構造体であり、内側孔部３０と、キャップ部の壁部３８を貫通する位置選択孔部３２、３４及び３６とを有する。動力切換機２６を望ましい位置（ニュートラル、反時計方向に固定、時計方向にフリー回転、及びそれぞれの逆）に保持するように、ハウジング４８における球体戻り止め４０の頂点は位置選択孔部３２、３４または３６に挿入される。弓状の切り抜き部４２および４４は、内側孔部３０を挟んで対向するよう設けられ、対応するカム表面４２ａ及び４４ａを含むように形成される。これらのカム表面４２ａ、４４ａは、隣接する爪部品５０ａまたは５０ｂが歯付きハブ２２の歯部５４と係合及び解除されるように、センタリング段部４６及びぞれぞれの爪部品５０ａ、５０ｂの間を通る弓状のカム構造４２ｂ及び４４ｂに形成される。
【００１８】
爪部品５０ａ、５０ｂは、爪部品が挿入されるハウジング４８における溝部４８ｃ及び４８ｄの弓状に形成された端部４８ａ及び４８ｂに、ぞれぞれの概ね円形のつまみ５０ｃ及び５０ｄを介して機能的な位置関係に保持される。（円形断面、楕円形断面、切断されない長方形断面、それに平板加工によってではなく圧延または押し出し製造工程によって通常形成されるような多角形断面を有することも可能な）好ましくは超弾性の形状記憶物質であるニッケルチタン合金（これが製造された研究所ニッケル／チタン／国防省海軍武器研究所により“ニチノール”とも呼ばれる）製の、細長く形成されたワイヤー状のバネ５２ａ及び５２ｂは、歯付きハブ２２の歯部５４に対して爪部品５０ａ、５０ｂを付勢する片持ちバネのように機能するよう、（例えば位置決めネジを用いたり、圧入、打込処理をハウジングに施したり、選択的に適合するコレット等のニッケルチタン合金製の部品を用いたりして）孔部４９ａ及び４９ｂに固定される。
【００１９】
ニチノール合金は、激しく歪曲された後でも、事前の状態に戻るという特異な性質を有する。通常その配合は、ニッケル５５〜５６％、チタン４４〜４５％であるが、この比率を微調整することで物質の性質に大きな影響を及ぼす。ニチノールには、主要ではあるが重複する２つの種類がある。“超弾性”合金は、驚くべきねじれ抵抗力と柔軟性を特徴とする。本発明で用いられるニチノール製ワイヤーは、永久変形することなく通常のバネ鋼の８〜１０倍も歪曲することが可能な超弾性合金であり、非常に激しく圧縮、屈曲または歪曲されても、元の形に戻る。この素晴らしい形状記憶性質は、応力誘起マルテンサイト変態を利用したものである。言い換えると、十分な応力が加わるとマルテンサイト活性化／変態（すなわちオーステナイト結晶構造からマルテンサイト性質の応力誘起構造に変化すること）を起こし、応力が取り除かれるとオーステナイト状態に戻るような性質のことを超弾性と言う。上記で説明された結晶構造は、合金に超弾性または擬似弾性の性質を与える。ニチノールのポアソン比は約０．３であるが、形状記憶合金が本来の限界弾性以上に伸張されるとこの比率は約０．５に至るまで大きく増加する。この時点、すなわちそこを超えると物質が永久的に変形し、元のオーステナイト形状に戻れなくなるという時点で、応力誘起マルテンサイトが起こると言われている。
【００２０】
本件においてニッケルチタン合金の使用が好ましくはあるが、現在では安価な超弾性鋼合金も知られており、そちらが使用されてもよいことを留意されたい。本件で用いられるワイヤーは、真っ直ぐな形状で焼きなまし性質を有する。物質を必要とされる正確な形状に保ち、９３２°Ｆ（５００℃）以上の高熱で最低５分間加熱することによってニチノール製のワイヤーに新しい形状が記憶される。その形状は冷却すると定着し、元のワイヤーと同様の柔軟性と変形に対する耐性を持つ。そしてこの工程は、新しい形状に変えるために何度も繰り返すことができる。
【００２１】
図３を参照すると、ハウジング４８、爪部品５０ａ及び５０ｂ、片持ちバネ５２ａ及び５２ｂ、（動力切換機２６の細長く形成された溝部５８に係合する）ストップ・ピン５６、歯付きハブ２２、及び動力切換機２６を備えた本発明によるラチェット機構２４の分解図が示される。ストップ・ピン５６は、ハウジング４８に固定されるよう圧入される。
【００２２】
図４ａから４ｄを参照すると、適したワイヤー状の片持ちバネ５２ａ及び５２ｂは円形断面、楕円形断面、切断されない長方形断面、それにバネの寿命を制限しうる応力集中部を形成する平板加工によってではなく、圧延または押し出し製造工程によって通常形成されるような多角形断面を有してもよい。さらに、片持ちバネ５２ａ、５２ｂの長さは、爪部品５０ａ、５０ｂに加えられる付勢力を制御可能とするように、その長さ５２ａ’に沿った曲げモーメントの慣性によって断面が異なるように加工されてもよい。超弾性ニチノールまたは超弾性鋼が片持ちバネの物質として用いられる場合と、曲げモーメントの慣性を変化または制御するための片持ちバネ５２ａまたは５２ｂの制御的処理を行うには、超弾性性質を活性化する熱処理が行われる前の焼きなましの状態で、片持ちバネが形成される必要がある。
【００２３】
さらに、片持ちバネ５２ａまたは５２ｂの長さ５２ａ’に沿って断面形状が非対称的に異なる場合、バネを非対称形状に加工する間にバネが支持される部分を形成し、望ましい方向（すなわち望ましい偏向及び力特性が得られるような方向）にバネを固定可能にするために、片持ちバネの端部５２ｃは上方に曲げられ、自身の方向に折り返される。方向付けは、端部５２ｃが固定されるハウジング４６における非円形の孔部を介してもまた行うことができる。方向付けが解除されることが可能な部分を形成するように、片持ちバネ５２ａまたは５２ｂのいずれかの端部５２ｄは変形されてもよい。片持ちバネ５２ａまたは５２ｂをハウジング４６において適切に方向付けするためには、もちろん固定装置（例えばファスナー等）も、非対称に形成された端部から取外されなくてはならない。どんな場合においても、処理後には、断面はワイヤーの中心線を挟んで概ね同等の全体的な幅寸法でなければならない。
【００２４】
参照することで本願に組み込まれる「クランプ及びその使用法」と題されたジョンソン（Ｊｏｈｎｓｏｎ）による米国特許第５，６８３，４０４号には、室温において超弾性または擬似弾性の回復特性を発揮するその性質から超弾性であると定義される「擬似弾性」を有する形状記憶物質について、さらに論じてある。
【００２５】
このように、使用者は爪部品５０ａまたは５０ｂのどちらを係合させるか選択することができ、これによってラチェット・ハンドルが駆動軸２０に対して自由に回転を行う方向、爪部品５０ａまたは５０ｂが歯部５４を固定する方向、それに駆動軸２０が反対方向に自由に回転を行うように爪部品を配置する方向を選択することが可能となる。ハウシング組立体１６に対する動力切換機２６の位置は、球体戻り止め４０の位置選択孔部３２、３４、３６のいずれか１つにおける摩擦接触または干渉接触によって定められる。
【００２６】
次に図５ａ及び５ｂを参照すると、片持ちバネ５２ａ及び５２ｂは爪部品５０ａ、５０ｂを歯付きハブ２２の歯部５４に対して付勢し、片持ちバネのそれぞれの先端部５２ｅは爪部品のぞれぞれの穴部５０ａ’、５０ｂ’に配置される。片持ちバネ５２ａ及び５２ｂは、爪部品５０ａ及び５０ｂの磨耗を最小に抑えるために、先端部５２ｅ’において屈曲するように形成されてもよい。
【００２７】
片持ちバネ５２ａ及び５２ｂは、その一方の端部でハウジング４８に保持され、もう一方の端部は屈曲可能とされる。これゆえに、ゴーチエによる米国特許第６，８１７，４５８号と違い、付勢部品としてトーション・バネではなく片持ちバネ５２ａ、５２ｂが用いられる。さらに、既に説明したように、本発明による片持ちバネは、高い柔軟性を有し、歯付きハブ２２の歯部５４に対して爪部品５０ａ、５０ｂを付勢するスプリング力をより一定に加えることが可能な超弾性チタン合金であるニチノールから随意的に形成されてもよい。スプリング力が一定であると、歯部５４にかかる付勢力に急激な変化が生じることが防がれることによって円滑なラチェット作用が可能となり、概ね一定でない場合には、爪部品が歯部のある位置からその次に進むときに、間欠的な引きずり（ドラッグ）を生じる。
【００２８】
付け加えると、動力切換機が凹部を超えて回転することをさらに防ぐために（ゴーチエによる米国特許第６，８１７，４５８号、段落６、６行目参照）、参照することで本願に組み込まれるティーデ（Ｔｉｅｄｅ）による米国特許第５，６１３，５８５号（段落３、２５行目参照）と同様に、付勢部品である５２ａ、５２ｂとは別個のストップ・ピン５６がキャップ型の動力切換機における溝部に係合する。
【００２９】
図６を参照すると、ラチェット・ハンドル１０、器具１３０、１３２、１３４、１３６、T形器具１３８及びガイド・ピン１３９を含んでなるキット１５０が示されている。キット１５０を構成する器具は、不使用時にはラチェット・ハンドル及び器具が便宜に収納できる収納部を有するケース１６０にまとめられる。様々な外科用ファスナーや、任意で骨プレートや機械器具、それに補助的器具が、特別な外科的プロトコルで使用されるまで便宜に収納されてもよい。
【００３０】
本発明の有利な点において、本件におけるバネ５２a、５２ｂが片持ち形状に形成されることによって、バネが超弾性物質から形成されることと相まって、爪部品５０a、５０ｂは耐久性と信頼性のある動作を行うことができ、ラチェット・ハンドルの使用寿命が長くなる。
【００３１】
本発明のさらなる有利な点において、バネ５２a、５２ｂの片持ち形状と、片持ちバネの形成にニッケルチタンが用いられることによって、バネが爪部品を歯付きハブ２２と係合するように付勢するうえで、概ね一定の付勢力を加えることを可能にする。
【００３２】
本発明のさらなる有利な点において、バネ５２a、５２ｂが細長く形成されることによって、その強度及び信頼性を損なうことなく、ラチェット機構の体積を減らすことを可能にする。
【００３３】
本発明のさらなる有利な点において、片持ちバネ５２a及び５２ｂがハウジング４８側からハウジング４８に挿入されることによって、ハウジング組立体１６を分解することなく片持ちバネの整備及び／または交換を可能にする（例えば、片持ちバネを操作するうえで、動力切換機を取り外す必要がなくなる）。
【００３４】
本発明のさらに有利な点において、爪部品５０a、５０ｂが係合状態になるように動力切換機２６が配置可能とすることによって、ラチェット機構がどちらの方向にも自由に移動できないように固定される。
【００３５】
本発明の目的は、操作が簡単で且つ信頼性のあるラチェット・ハンドル１０を提供することである。
【００３６】
本発明のさらなる目的は、付勢部品となる片持ちバネ５２aまたは５２ｂを取り付けるうえで取付ピンを必要としないような、より少ない部品から構成され、より単純な機構を提供することである。
【００３７】
本願においては「駆動体」という用語が用いられているが、この用語はタップ、ガイド・ピン、スクリュードライバー、リーマ駆動体や制御された状態で固定や保持及び回転されるその他の器具を包含する意味で用いられている。
【００３８】
ここでは本発明による特定の例示的な具体案が開示及び説明されているが、上述の開示において多岐に渡る改良、変更又は代用を考慮することもできる。場合によっては、本発明のある特定の特徴が、その他の対応する特徴を用いることなく利用されることも可能である。従って、上記の説明は幅広く解釈され、例を示すための記載にすぎないと考慮され、本発明の精神及び範囲は添付の特許請求の範囲によってのみ制限されることを理解されたい。
【図面の簡単な説明】
【００３９】
【図１】本発明によるラチェット・ハンドルの斜視図である。
【図２ａ】本発明によるラチェット機構の内部の仕組みを示した斜視図である。
【図２ｂ】本発明による動力切換機の斜視図である。
【図３】本発明によるラチェット機構の分解組立図である。
【図４ａ】本発明の別の具体案における片持ちバネの斜視図である。
【図４ｂ】本発明のさらなる別の具体案における片持ちバネの斜視図である。
【図４ｃ】本発明のさらなる別の具体案における片持ちバネの斜視図である。
【図４ｄ】本発明のさらなる別の具体案における片持ちバネの斜視図である。
【図５ａ】本発明における付勢手段である片持ちバネの、爪部品に対する配置を示した平面図である。
【図５ｂ】本発明における付勢手段である片持ちバネの、爪部品に対する配置を示した斜視図である。
【図６】本発明におけるキットの斜視図である。
【符号の説明】
【００４０】
１０      ラチェット・ハンドル
１２      ハンドル
１２ａ    ハンドル・キャップ
１４      継手端部
１６      ハウジング組立体
２０      駆動軸
２２      歯付きハブ
２４      ラチェット機構
２６      動力切換機
３０      内側孔部
３２      位置選択孔部
３４      位置選択孔部
３６      位置選択孔部
３８      壁部
４０      球体戻り止め
４２ａ    カム表面
４２ｂ    カム構造
４４ａ    カム表面
４４ｂ    カム構造
４６      センタリング段部／ハウジング
４８      ハウジング
４８ａ    端部表面
４８ｂ    端部表面
４８ｃ    溝部
４８ｄ    溝部
４９ａ    孔部
４９ｂ    孔部
５０ａ    爪部品
５０ａ’  穴部
５０ｂ    爪部品
５０ｂ’  穴部
５０ｃ    つまみ
５０ｄ    つまみ
５２ａ    片持ちバネからなる付勢部品
５２ａ’  長さ
５２ｂ    片持ちバネからなる付勢部品
５２ｃ    端部
５２ｄ    端部
５２ｅ    先端部
５２ｅ’  先端部
５４      歯部
５６      ストップ・ピン
５８      溝部
５９      ネジ／ピン
６０      円形断面
６２      楕円形断面
６４      長方形断面
６６      多角形断面
１３０    器具
１３２    器具
１３４    器具
１３６    器具
１３８    Ｔ形器具
１３９    ガイド・ピン
１５０    キット
１６０    ケース
【図１】
2006312061.tif 000003
【図２ａ】
2006312061.tif 000004
【図２ｂ】
2006312061.tif 000005
【図３】
2006312061.tif 000006
【図４ａ】
2006312061.tif 000007
【図４ｂ】
2006312061.tif 000008
【図４ｃ】
2006312061.tif 000009
【図４ｄ】
2006312061.tif 000010
【図５ａ】
2006312061.tif 000011
【図５ｂ】
2006312061.tif 000012
【図６】
2006312061.tif 000013
【外国語明細書】
2006312061.tif 000014
2006312061.tif 000015
2006312061.tif 000016
2006312061.tif 000017
2006312061.tif 000018
2006312061.tif 000019
2006312061.tif 000020
2006312061.tif 000021
2006312061.tif 000022
2006312061.tif 000023
2006312061.tif 000024
2006312061.tif 000025
2006312061.tif 000026
2006312061.tif 000027
2006312061.tif 000028
2006312061.tif 000029
2006312061.tif 000030